(57)【要約】【課題】  撮影者が余計な気を遣わずに撮影に専念することができるレンズ交換式カメラを提供する。【解決手段】  デジタルカメラ２は、レンズユニット１１がカメラ本体２ａに装着された状態をロックするロック機構４０と、ロック機構４０のロックを解除するためのロック解除スイッチ４７とを備える。ロック解除スイッチ４７は、カメラ本体２ａの底面に形成された凹部５０に配されている。凹部５０は、ロック解除スイッチ４７がカメラ本体２ａの底面よりも凹むように形成されている。撮影に際してカメラ本体２ａを把持したときや、携帯する際などに、ロック解除スイッチ４７を誤って操作してしまうおそれがない。【選択図】        図４
2006243656.tif 000002
【特許請求の範囲】
【請求項１】
撮像レンズと、撮像レンズを透過した被写体像を撮像する撮像素子とを有するレンズユニットが、マウントを介してカメラ本体に着脱自在とされたレンズ交換式カメラにおいて、
前記レンズユニットが前記カメラ本体に装着された状態をロックするロック機構と、
前記ロック機構のロックを解除するための操作部材とを備え、
前記操作部材は、凹部に配されており、
この凹部は、前記操作部材が他の面よりも凹むように形成されていることを特徴とするレンズ交換式カメラ。
【請求項２】
前記凹部は、前記カメラ本体の底面にあることを特徴とする請求項１に記載のレンズ交換式カメラ。
【請求項３】
前記凹部は、前記レンズユニット以外の付属部品を前記カメラ本体に装着したときに、前記付属部品によって隠される位置にあることを特徴とする請求項１または２に記載のレンズ交換式カメラ。
【請求項４】
前記付属部品は、三脚であることを特徴とする請求項３に記載のレンズ交換式カメラ。
【発明の詳細な説明】
【技術分野】
【０００１】
本発明は、撮像レンズと撮像素子とを有するレンズユニットが、マウントを介して本体に着脱自在とされたレンズ交換式カメラに関する。
【背景技術】
【０００２】
ＣＣＤなどの固体撮像素子で撮像した被写体像をデジタルの画像データに変換し、内蔵メモリやメモリカードなどの記憶媒体に記憶するデジタルカメラが普及している。このようなデジタルカメラには、撮像レンズと撮像素子とを有するレンズユニットが、マウントを介してカメラ本体に着脱自在とされた、いわゆるレンズ交換式カメラがある。
【０００３】
上記のようなレンズ交換式カメラには、レンズユニットがカメラ本体に装着された状態をロックするロック機構と、このロック機構のロックを解除するための操作部材とが設けられている（特許文献１〜３参照）。
【０００４】
特許文献１および２に記載のレンズ交換式カメラでは、レンズユニットに形成されたカムピン、およびカメラ本体に形成されたカム溝がロック機構として採用されており、カメラ本体の底面に配されたレンズ着脱レバーをスライド操作することによって、ロック機構の作動および解除を行えるようになっている。特に、特許文献２に記載のレンズ交換式カメラでは、カメラの電源スイッチがオン状態のときに、レンズユニットの着脱が不能となるように構成されている。
【０００５】
また、特許文献３に記載のレンズ交換式カメラでは、カメラ本体の正面に配されたロック解除ボタンを押圧操作することにより、ロックレバーのロック爪によるロックを解除するとともに、カメラ本体からレンズユニットに供給される電力を自動的にオフにしている。
【特許文献１】特開平８−１７１１３０号公報
【特許文献２】特開平８−２６２５４６号公報
【特許文献３】特開平１０−２０６９５３号公報
【発明の開示】
【発明が解決しようとする課題】
【０００６】
特許文献１〜３に記載のレンズ交換式カメラでは、レンズ着脱レバーやロック解除ボタンなどの操作部材が、撮影に際してカメラ本体を把持したときや、携帯する際などに指が頻繁に接触するような部分に配されている。このため、撮影者の意図に反して、操作部材を誤って操作してしまうおそれがあり、撮影者が余計な気を遣って撮影に集中できないという問題があった。
【０００７】
本発明は、上記課題を鑑みてなされたものであり、撮影者が余計な気を遣わずに撮影に専念することができるレンズ交換式カメラを提供することを目的とする。
【課題を解決するための手段】
【０００８】
上記目的を達成するために、本発明は、撮像レンズと、撮像レンズを透過した被写体像を撮像する撮像素子とを有するレンズユニットが、マウントを介してカメラ本体に着脱自在とされたレンズ交換式カメラにおいて、前記レンズユニットが前記カメラ本体に装着された状態をロックするロック機構と、前記ロック機構のロックを解除するための操作部材とを備え、前記操作部材は、凹部に配されており、この凹部は、前記操作部材が他の面よりも凹むように形成されていることを特徴とする。
【０００９】
なお、前記凹部は、前記カメラ本体の底面にあることが好ましい。
【００１０】
また、前記凹部は、前記レンズユニット以外の付属部品を前記カメラ本体に装着したときに、前記付属部品によって隠される位置にあることが好ましい。なお、前記付属部品は、三脚であることが好ましい。
【発明の効果】
【００１１】
本発明のレンズ交換式カメラによれば、レンズユニットがカメラ本体に装着された状態をロックするロック機構のロックを解除するための操作部材が凹部に配されており、この凹部を、操作部材が他の面よりも凹むように形成したので、撮影に際してカメラ本体を把持したときや、携帯する際などに、操作部材を誤って操作してしまうおそれがない。したがって、撮影者が余計な気を遣わずに撮影に専念することができる。
【発明を実施するための最良の形態】
【００１２】
図１において、本発明を適用したデジタルカメラ２は、撮像レンズ１０を有するレンズユニット１１が、マウント１２を介してカメラ本体２ａの前面に着脱自在とされた、いわゆるレンズ交換式カメラである。
【００１３】
マウント１２は、カメラ本体２ａの開口１３に設けられたマウントリング１４、およびマウントリング１４の内周から所定の間隔（例えば１２０°）を隔てて突設された計３枚のバヨネット板１５から構成される。レンズユニット１１の装着時には、マウントリング１４がレンズユニット１１のマウントリング３１（図３参照）に当接するとともに、バヨネット板１５がレンズユニット１１の板受け３２（図３参照）に嵌合する。なお、特に図示はしていないが、マウント１２には、シリアルドライバ７７（図７参照）を介してレンズユニット１１と信号を遣り取りする信号端子や、電力供給部７８（図７参照）の電力をレンズユニット１１に供給するための電源端子が配されており、レンズユニット１１の装着時には、これらの端子がレンズユニット１１側の端子と接触し、これによりカメラ本体２ａとレンズユニット１１とが電気的に接続される。
【００１４】
カメラ本体２ａの前面には、マウント１２の他に、ファインダ対物窓１６が設けられている。また、カメラ本体２ａの上面には、レリーズボタン１７、電源ボタン１８、モード切替えダイヤル１９、およびストロボ装置取り付け部２０が設けられており、側面には、メモリカード７０（図７参照）が着脱自在に装填されるメモリカードスロットを覆う蓋２１が設けられている。
【００１５】
レリーズボタン１７は、２段階押しのスイッチとなっている。被写体のフレーミングの後に、レリーズボタン１７を軽く押圧（半押し）すると、自動露出調整（ＡＥ）、自動焦点調整（ＡＦ）などの各種撮影準備処理が施される。この状態でレリーズボタン１７をもう１度強く押圧（全押し）すると、撮影準備処理が施された１画面分の撮像信号が画像データに変換された後、後述する画像処理および圧縮処理が施され、メモリカード７０に記憶される。
【００１６】
図２において、デジタルカメラ２の背面には、ファインダ接眼窓２２、液晶表示器（ＬＣＤ）２３、および操作部２４が設けられている。ＬＣＤ２３は、撮影した画像やいわゆるスルー画像、各種メニュー画面を表示する。操作部２４は、撮像レンズ１０のズームレンズをワイド側、テレ側に変倍するズーム操作ボタン２５、および、ＬＣＤ２３にメニュー画面を表示させる際や、選択内容を決定する際に操作されるメニューボタン２６などから構成される。
【００１７】
デジタルカメラ２では、静止画撮影を行う静止画撮影モード、動画撮影を行う動画撮影モード、撮影した画像をＬＣＤ２３に表示する再生モード、および各種設定を行う設定モードが選択可能となっている。これらのモードの切り替えは、モード切替えダイヤル１９を回動操作させることで行われる。なお、動画撮影モードでは、動画の撮影とともに、図示しないマイクロホンを介して周囲の音声が収録される。
【００１８】
図３において、レンズユニット１１の背面には、マウント１２と対応するマウント３０が設けられている。マウント３０は、マウントリング３１、および板受け３２から構成される。マウントリング３１には、レンズユニット１１をカメラ本体２ａに装着した際に、後述するロック機構４０のロックピン４２（図４参照）が入り込む嵌合穴３３が穿たれている。
【００１９】
板受け３２は、マウント１２のバヨネット板１５が形成された位置から所定角度（例えば６０°）ずれた位置に形成されており、バヨネット板１５が嵌め入れられる挿入部３２ａと、バヨネット板１５が当接する当接部３２ｂとを備えている。なお、マウント３０についても、マウント１２と同様に、シリアルドライバ９４（図８参照）を介してデジタルカメラ２と信号を遣り取りする信号端子や、デジタルカメラ２からの電力を電力供給部９５（図８参照）に供給するための電源端子が配されている。
【００２０】
図４および図５において、ロック機構４０は、レンズユニット１１がカメラ本体２ａに装着された状態をロックするものであり、蓋４１、ロックピン４２、第１、第２可動片４３、４４、第１、第２バネ４５、４６、およびロック解除スイッチ４７から構成される。
【００２１】
蓋４１は、レンズユニット１１をカメラ本体２ａに装着する際に、レンズユニット１１によって、図５に示すＡ’方向に押し込まれる。ロックピン４２は、マウントリング１４に穿たれた穴４９から突出する図４に示すロック位置と、穴４９に没する図５に示すロック解除位置との間を移動する。ロックピン４２は、その下端から延設された取り付け片４２ａを介して、第２可動片４４にネジ止めされている。このロックピン４２は、レンズユニット１１がカメラ本体２ａに装着された状態で、ロック位置にあるときに、前述の嵌合穴３３に嵌入し、レンズユニット１１の光軸回りの回動をロックする。
【００２２】
第２可動片４４の取り付け片４２ａが取り付けられる面４４ａに対向する面４４ｂ、および前記面４４ａに垂直な面４４ｃには、第１バネ４５、および第２バネ４６の一端がそれぞれ係合している。第１、第２バネ４５、４６の他端は、カメラ本体２ａ内部に係合されている。第２可動片４４は、第１、第２バネ４５、４６により、それぞれ図４の矢印Ａ、Ｂ方向に付勢される。
【００２３】
第２可動片４４の面４４ａの一部には、斜面４４ｄが形成されている。斜面４４ｄには、第１可動片４３の斜面４３ａが接している。第１可動片４３は、ロック解除スイッチ４７と連結されており、ロック解除スイッチ４７と連動して、Ｂ方向、およびその反対方向である図５に示す矢印Ｂ’方向に移動する。
【００２４】
ロック解除スイッチ４７をＢ’方向にスライド操作すると、第１可動片４３は、斜面４３ａ、４４ｄを介して、第２可動片４４をＢ’方向、およびＡ方向と反対方向である図５に示すＡ’方向に押す。第２可動片４４は、第１、第２バネ４５、４６の付勢に抗して、Ａ’方向に移動する。これにより、第２可動片４４に取り付けられたロックピン４２は、Ａ’方向、つまりロック解除位置の方向に移動する。
【００２５】
一方、ロックピン４２がロック解除位置にある状態で、ロック解除スイッチ４７から指を離すと、第１、第２バネ４５、４６の付勢力によって、第２可動片４４が元の位置に戻り、ロックピン４２もロック位置に戻る。また、第１可動片４３、延いてはロック解除スイッチ４７も元の位置に戻る。
【００２６】
ロック解除スイッチ４７は、カメラ本体２ａの底面に形成された凹部５０に配されている。凹部５０は、ロック解除スイッチ４７がカメラ本体２ａの底面よりも凹むように、その深さ寸法が、ロック解除スイッチ４７の高さ寸法よりも大きくなっている。
【００２７】
凹部５０の近傍には、三脚を取り付けるためのネジ穴５１が穿たれている。図６に示すように、凹部５０は、三脚をネジ穴５１に取り付けた際に、三脚の取り付け具５２によって隠される位置に配されている。これにより、三脚を取り付けた際には、ロック解除スイッチ４７をスライド操作することが不可能になる。
【００２８】
デジタルカメラ２の電気的構成を示す図７において、ＣＰＵ６０は、バス６１を介してデジタルカメラ２の各部を統括的に制御する。システムメモリ６２は、撮影シーケンスを行うための各種プログラムが記憶されるＲＯＭや、プログラムの実行に必要な各種データが一時記憶されるＲＡＭから構成される。不揮発性メモリ６３は、ＥＥＰＲＯＭなどの書き換え可能な記憶媒体からなり、デジタルカメラ２を動作させるために必要な各種データが記録される。ＣＰＵ６０は、システムメモリ６２のＲＯＭや不揮発性メモリ６３に記憶されたプログラムやデータを作業用メモリであるＲＡＭに読み出し、これらに基づいてデジタルカメラ２各部の制御を行う。
【００２９】
ＵＳＢコネクタ６４には、ＵＳＢケーブルが接続され、ＵＳＢドライバ６５を介して、パーソナルコンピュータなどの外部機器との間でデータの送受信を行う。Ｉ／Ｏポート６６には、前述のレリーズボタン１７を含む操作部２４が接続され、操作部２４を介して入力された信号をＣＰＵ６０に送信する。ＣＰＵ６０は、Ｉ／Ｏポート６６から送信された信号に応じて、デジタルカメラ２の各部を動作させる。
【００３０】
信号処理回路６７は、後述するシリアルドライバ７７を介してレンズユニット１１から送信されるデジタルの画像データに対して、輪郭強調、ガンマ補正、ホワイトバランス調整などの各種信号処理を施す。画像圧縮・伸張回路６８は、信号処理回路６７で各種信号処理が施された画像データに所定の圧縮形式（例えばＪＰＥＧ形式）で圧縮処理を施す。圧縮処理後の画像データは、カードＩ／Ｆ６９を経由してメモリカード７０に記録される。
【００３１】
フレームメモリ７１には、信号処理回路６７で各種信号処理が施された１フレーム分の画像データが書き込まれる。ＬＣＤドライバ７２は、フレームメモリ７１に書き込まれた画像データをＮＴＳＣ方式に変換し、ＬＣＤ２３に表示させる。
【００３２】
ストロボ装置取り付け部２０に取り付けられるストロボ装置７３は、ストロボ制御回路７４により動作制御され、被写体に向けてストロボ光を発する。タイマ７５は、セルフ撮影時の撮影の遅延時間などを計時する。カレンダー・時計回路７６は、撮影日時の管理や、デジタルカメラ２を動作させる際に必要なシステムクロックを発生させる。
【００３３】
シリアルドライバ７７は、マウント１２に配された端子によるレンズユニット１１とのデータの授受を媒介する。電力供給部７８は、バッテリーや電池からの電力をデジタルカメラ２の各部に供給するとともに、マウント１２に配された端子を介して、レンズユニット１１に電力を供給する。
【００３４】
レンズユニット１１の電気的構成を示す図８において、ＣＰＵ８０は、バス８１を介してレンズユニット１１の各部を統括的に制御する。システムメモリ８２は、各種プログラムが記憶されるＲＯＭや、プログラムの実行に必要な各種データが一時記憶されるＲＡＭから構成される。不揮発性メモリ８３は、ＥＥＰＲＯＭなどの書き換え可能な記憶媒体からなり、レンズユニット１１を動作させるために必要な各種データが記録される。ＣＰＵ８０は、システムメモリ８２のＲＯＭや不揮発性メモリ８３に記憶されたプログラムやデータを作業用メモリであるＲＡＭに読み出し、これらに基づいてレンズユニット１１各部の制御を行う。
【００３５】
撮像レンズ１０、および絞り８４には、レンズモータ８５、およびアイリスモータ８６が接続されている。これらのモータ８５、８６はステッピングモータからなり、ＣＰＵ８０に接続されたモータドライバ８７、８８から送信される駆動パルスにより動作制御され、レリーズボタン１７の半押しに伴う撮影準備処理を行う。
【００３６】
レンズモータ８５は、ズーム操作ボタン２５の操作に連動して、撮像レンズ１０のズームレンズをワイド側、あるいはテレ側に移動させる。また、被写体距離やズームレンズの変倍に応じて撮像レンズ１０のフォーカスレンズを移動させ、撮影条件が最適となるように焦点調整を行う。アイリスモータ８６は、絞り８４を動作させ、露出調整を行う。
【００３７】
撮像レンズ１０の背後には、撮像レンズ１０を透過した被写体像が撮像されるＣＣＤ８９が配置されている。ＣＣＤ８９には、ＣＰＵ８０によって制御されるタイミングジェネレータ（ＴＧ）９０が接続され、このＴＧ９０から入力されるタイミング信号（クロックパルス）により、電子シャッタのシャッタ速度が決定される。
【００３８】
ＣＣＤ８９から出力された撮像信号は、信号処理回路９１に入力される。信号処理回路９１は、ＣＣＤ８９から出力された撮像信号を、ＣＣＤ８９の各セルの蓄積電荷量に正確に対応したＲ、Ｇ、Ｂの画像データとして出力し、所定の増幅率で増幅する。Ａ／Ｄ変換器（Ａ／Ｄ）９２は、信号処理回路９１で増幅されたアナログの画像データを、デジタルの画像データに変換する。
【００３９】
ＡＥ／ＡＦ検出回路９３は、Ａ／Ｄ９２から出力されたデジタルの画像データを参照して、露出量、すなわち電子シャッタのシャッタ速度、および絞り８４の絞り値が撮影に適切か否かを検出するとともに、撮像レンズ１０の焦点調整が撮影に適切か否かを検出する。このＡＥ／ＡＦ検出回路９３は、レリーズボタン１７の半押し時に、バス８１を介してＣＰＵ８０に検出結果を逐次送信する。ＣＰＵ８０は、ＡＥ／ＡＦ検出回路９３から送信される検出結果に基づいて、撮像レンズ１０、絞り８４、およびＣＣＤ８９の動作を制御する。
【００４０】
シリアルドライバ９４は、Ａ／Ｄ９２から出力されたデジタルの画像データをデジタルカメラ２の信号処理回路６７に送信するなど、マウント３０に配された端子によるデジタルカメラ２とのデータの授受を媒介する。電力供給部９５は、マウント３０に配された端子を介してデジタルカメラ２の電力供給部７８から供給された電力を、レンズユニット１１の各部に供給する。
【００４１】
次に、上記構成を有するデジタルカメラ２の動作について説明する。まず、レンズユニット１１をデジタルカメラ２に装着する際には、板受け３２の挿入部３２ａにバヨネット板１５が入り込むように、双方のマウントリング１４、３１を当接させる。次いで、板受け３２の当接部３２ｂにバヨネット板１５が当接するように、レンズユニット１１を図１の時計回りに回転させる。これにより、マウント１２およびマウント３０を介して、レンズユニット１１がカメラ本体２ａに装着され、ロック機構４０により、レンズユニット１１がカメラ本体２ａに装着された状態でロックされる。また、このとき、カメラ本体２ａおよびレンズユニット１１の双方の端子が接触して、レンズユニット１１とデジタルカメラ２とが電気的に接続される。
【００４２】
レンズユニット１１をカメラ本体２ａに装着した後、デジタルカメラ２で被写体の撮影を行う際には、モード切替えダイヤル１９を回動操作して静止画撮影モード、あるいは動画撮影モードを選択する。
【００４３】
撮影モード下において、レンズユニット１１の撮像レンズ１０、絞り８４を介して入射した被写体光は、ＣＣＤ８９により光電変換され、信号処理回路９１でサンプリング、増幅され、Ａ／Ｄ９２でデジタルの画像データに変換される。
【００４４】
デジタル変換された画像データは、ＡＥ／ＡＦ検出回路９３に送信される。また、シリアルドライバ９４により、デジタルカメラ２の信号処理回路６７に送信される。ＡＥ／ＡＦ検出回路９３では、レリーズボタン１７の半押しに伴って、画像データが参照されて露出量、焦点が検出され、この検出結果に基づいて撮影準備処理が施される。
【００４５】
レンズユニット１１から送信された画像データは、シリアルドライバ７７により信号処理回路６７に送信される。そして、信号処理回路６７で各種信号処理が施された後、フレームメモリ７１に格納され、ＬＣＤドライバ７２を介してＬＣＤ２３にスルー画像として表示される。また、レリーズボタン１７の全押しにより撮影が実行されると、静止画撮影モード下では、そのときフレームメモリ７１に格納されている画像データが画像圧縮・伸張回路６８で圧縮処理され、カードＩ／Ｆ６９を経由してメモリカード７０に記録される。
【００４６】
一方、動画撮影モード下では、レリーズボタン１７が再度全押しされるまで、一定のフレームレート（例えば３０フレーム／秒）で画像データが記録される。また、これと同時にマイクロホンを介して周囲の音声が収録される。マイクロホンで収録された音声は、画像データと関連付けられてメモリカード７０に記録される。
【００４７】
カメラ本体２ａに三脚を取り付けて撮影を行う際には、ネジ穴５１に三脚の取り付け具５２をネジ止めする。これにより、ロック解除スイッチ４７が配された凹部５０が、取り付け具５２によって隠される。
【００４８】
撮影終了後、ロック解除スイッチ４７をＢ’方向にスライド操作させ、ロックピン４２をロック解除位置に移動させた後、レンズユニット１１を図１の反時計回りに回転させて、バヨネット板１５および板受け３２による嵌合を解除し、レンズユニット１１をカメラ本体２ａから離脱させる。
【００４９】
以上詳細に説明したように、レンズユニット１１がカメラ本体２ａに装着された状態をロックするロック機構４０のロックを解除するためのロック解除スイッチ４７が凹部５０に配されており、この凹部５０を、ロック解除スイッチ４７がカメラ本体２ａの底面よりも凹むように形成したので、撮影に際してカメラ本体２ａを把持したときや、携帯する際などに、ロック解除スイッチ４７を誤って操作してしまうおそれがない。したがって、撮影者が余計な気を遣わずに撮影に専念することができる。
【００５０】
また、カメラ本体２ａに三脚を取り付けて撮影を行う際には、ロック解除スイッチ４７が配された凹部５０が、三脚の取り付け具５２によって隠されるので、ロック解除スイッチ４７をスライド操作することが不可能になる。したがって、ロック解除スイッチ４７を他者に操作されてレンズユニット１１が盗難に遭う心配がない。
【００５１】
なお、ロック解除スイッチの操作構造としては、図９に示すものを採用してもよい。上記実施形態のロック機構４０では、ロック解除スイッチ４７をＢ’方向にスライド操作させてロックを解除するのに対し、図９に示すロック機構１００のロック解除スイッチ１０１は、Ａ’方向にスライド操作させることでロックを解除するように構成されている。すなわち、ロック解除スイッチ１０１をＡ’方向にスライド操作させると、ロック解除スイッチ１０１に連結された可動片１０２が、ロックピン４２の取り付け部４２ａに係合されたバネ１０３の付勢に抗してＡ’方向に移動する。これにより、上記実施形態と同様に、可動片１０２に取り付けられたロックピン４２が、Ｂ’方向、つまりロック解除位置の方向に移動する。このようにすると、上記実施形態に比して、部品点数を減らすことができる。
【００５２】
また、ロック機構の構造についても、上記ロック解除スイッチの操作構造と同様に、本発明の趣旨を逸脱しない限りは、如何様な構造を採用しても構わない。
【００５３】
上記実施形態では、操作部材として、スライド式のロック解除スイッチ４７を例示して説明したが、本発明はこれに限定されず、押圧式のボタンや回動式のレバーなどを操作部材として採用してもよい。また、上記実施形態では、凹部５０をカメラ本体２ａの底面に設け、三脚の取り付け具５２により隠される位置に配しているが、これらの態様は本発明に必ずしも必須の要件ではなく、少なくともロック機構のロックを解除するための操作部材が、他の面よりも凹むように配されていればよいので、カメラ本体２ａの正面や側面に操作部材を配してもよい。
【００５４】
上記実施形態では、撮像装置として、デジタルカメラ２を例示して説明したが、本発明はこれに限定されず、他の撮像装置、例えば、カメラ付き携帯電話などにも適用することができる。
【図面の簡単な説明】
【００５５】
【図１】本発明を適用したデジタルカメラの正面外観斜視図である。
【図２】デジタルカメラの背面外観図である。
【図３】レンズユニットの構成を示す斜視図である。
【図４】ロック機構の構成を示す部分拡大斜視図である。
【図５】ロック機構の構成を示す部分拡大斜視図である。
【図６】凹部の配される位置を説明するための平面図である。
【図７】デジタルカメラの電気的構成を示すブロック図である。
【図８】レンズユニットの電気的構成を示すブロック図である。
【図９】ロック解除スイッチの操作構造の他の例を示す部分拡大斜視図である。
【符号の説明】
【００５６】
２  デジタルカメラ
２ａ  カメラ本体
１０  撮像レンズ
１１  レンズユニット
１２  マウント（デジタルカメラ）
１７  レリーズボタン
２３  液晶表示器（ＬＣＤ）
３０  マウント（レンズユニット）
４０、１００  ロック機構
４７、１０１  ロック解除スイッチ
５０  凹部
５１  取り付け穴
５２  取り付け具
６０  ＣＰＵ（デジタルカメラ）
８０  ＣＰＵ（レンズユニット）
８９  ＣＣＤ
【図１】
2006243656.tif 000003
【図２】
2006243656.tif 000004
【図３】
2006243656.tif 000005
【図４】
2006243656.tif 000006
【図５】
2006243656.tif 000007
【図６】
2006243656.tif 000008
【図７】
2006243656.tif 000009
【図８】
2006243656.tif 000010
【図９】
2006243656.tif 000011